(57)【要約】【課題】  学習机の後部又は側部に書棚を併設して使用する場合に、それらを互いに簡単に連結することができ、また天板の奥行幅を調整できる学習机であっても同様に書棚を連結することが可能な学習机と書棚の連結装置を提供する。【解決手段】  天板１の両側部を脚体２で支持した学習机Ａと、天板と上面が同じ高さの固定棚板４を備えた書棚Ｂとを互いに連結する学習机と書棚の連結装置であって、棚の固定棚板の下面前縁部に、先端に上向きの係合片６を設けた単又は複数の連結金具５を係合片が前方へ突出した状態で着脱可能に取付けるとともに、学習机の天板の少なくとも下面後縁部に、天板の後端部と書棚の固定棚板の前端部とを接合した状態で、連結金具の係合片を係合する係合溝７を形成した。【選択図】        図１
2008301973.tif 000002
【特許請求の範囲】
【請求項１】
天板の両側部を脚体で支持した学習机と、前記天板と上面が同じ高さの固定棚板を備えた書棚とを互いに連結する学習机と書棚の連結装置であって、前記書棚の固定棚板の下面前縁部に、先端に上向きの係合片を設けた単又は複数の連結金具を該係合片が前方へ突出した状態で着脱可能に取付けるとともに、前記学習机の天板の少なくとも下面後縁部に、該天板の後端部と前記書棚の固定棚板の前端部とを接合した状態で、前記連結金具の係合片を係合する係合溝を形成したことを特徴とする学習机と書棚の連結装置。
【請求項２】
前記学習机は、両脚体の後端を前記天板の後端より後方へ突出しないように設定するとともに、該天板又は前記脚体に直接又は他の部材を介して間接的に拡張天板を設け、該拡張天板が前記天板の後端に連続して該天板と上面を面一となした水平姿勢と、前記天板の後端より後方へ突出しない格納姿勢とをとることが可能であり、前記天板の下面後縁部と前記拡張天板の下面後縁部とに、前記連結金具の係合片を係合する係合溝を形成してなる請求項１記載の学習机と書棚の連結装置。
【請求項３】
前記学習机の天板の下面側縁部に、該天板の側端部と前記書棚の固定棚板の前端部とを接合した状態で、前記連結金具の係合片を係合する係合溝を形成してなる請求項１又は２記載の学習机と書棚の連結装置。
【請求項４】
前記連結金具は、金属板を側面視倒コ字形に折曲形成したものであり、基板の前端に前記係合片を有するとともに、基板の後端に前記係合片と同様の取付片を上向きに形成したものであり、前記書棚の固定棚板の下面に前記取付片を係合する横長の取付溝を形成するとともに、前記係合片と取付片の間隔に等しい距離だけ該取付溝の後方位置に逃がし溝を形成し、前記取付片を取付溝に係合して連結金具を固定棚板の下面にネジ止めして前記係合片を前方突出状態とする使用態様と、前記取付溝と逃がし溝とに前記係合片と取付片を係合して連結金具を固定棚板の下面にネジ止めした格納態様とを実現する請求項１〜３何れかに記載の学習机と書棚の連結装置。
【発明の詳細な説明】
【技術分野】
【０００１】
本発明は、学習机と書棚の連結装置に係わり、更に詳しくは学習机の後部又は側部に書棚を併設して使用する場合における学習机と書棚の連結装置に関するものである。
【背景技術】
【０００２】
従来から、学習机と書棚を組合せた学習家具が各種提供されている。例えば、机を構成する天板の一側端部を書棚の両側板間に挿入し、書棚の棚板等と連結して使用する構造のもの、あるいは学習机の天板の後部に上棚を載置固定して棚付き学習机として使用するものが提供されている。また、それぞれ独立して使用する学習机と書棚を組合せて、学習机の後縁に書棚を密着させて設置して使用することも多い。
【０００３】
学習机の後部又は側部に書棚を併設して使用する場合、配置の安定性の観点から互いに連結することが望ましい。特許文献１及び特許文献２には、書棚の固定棚板の上面に机天板の後縁又は一側縁を重ねた状態で、直接ネジ止めする構造が記載されている。しかし、この場合、書棚の固定棚板と机天板とを一部重ねて連結するので、固定棚板と机天板との間に段差が生じ、外観性を損なうばかりでなく、机天板の一部が書棚の収容空間内に侵入しているので、天板の有効面積が狭くなり、また書棚の収容効率も悪くなるといった欠点を有している。
【０００４】
一方、学習机においては、使用目的や好みによって、奥行幅が広い天板に対する要求や、逆に奥行幅が狭い天板に対する要求があり、また学習机を購入後にそれらの要求が変化する場合もあり、多くの使用者に適した学習机を提供する目的で、状況に応じて天板の奥行幅を調整できる学習机が望まれている。このような天板の奥行幅を調整できる学習机の後部に書棚を併設する場合にも、簡単に学習机と書棚とを連結できることが望ましいが、従来そのようなものは提供されてなかった。
【特許文献１】実用新案登録第２５５２３３４号公報
【特許文献２】特許第２７０３８５２号公報
【発明の開示】
【発明が解決しようとする課題】
【０００５】
そこで、本発明が前述の状況に鑑み、解決しようとするところは、学習机の後部又は側部に書棚を併設して使用する場合に、それらを互いに簡単に連結することができ、また天板の奥行幅を調整できる学習机であっても同様に書棚を連結することが可能な学習机と書棚の連結装置を提供する点にある。
【課題を解決するための手段】
【０００６】
本発明は、前述の課題解決のために、天板の両側部を脚体で支持した学習机と、前記天板と上面が同じ高さの固定棚板を備えた書棚とを互いに連結する学習机と書棚の連結装置であって、前記書棚の固定棚板の下面前縁部に、先端に上向きの係合片を設けた単又は複数の連結金具を該係合片が前方へ突出した状態で着脱可能に取付けるとともに、前記学習机の天板の少なくとも下面後縁部に、該天板の後端部と前記書棚の固定棚板の前端部とを接合した状態で、前記連結金具の係合片を係合する係合溝を形成したことを特徴とする学習机と書棚の連結装置を構成した（請求項１）。
【０００７】
ここで、前記学習机は、両脚体の後端を前記天板の後端より後方へ突出しないように設定するとともに、該天板又は前記脚体に直接又は他の部材を介して間接的に拡張天板を設け、該拡張天板が前記天板の後端に連続して該天板と上面を面一となした水平姿勢と、前記天板の後端より後方へ突出しない格納姿勢とをとることが可能であり、前記天板の下面後縁部と前記拡張天板の下面後縁部とに、前記連結金具の係合片を係合する係合溝を形成してなるものである（請求項２）。
【０００８】
また、前記学習机の天板の下面側縁部に、該天板の側端部と前記書棚の固定棚板の前端部とを接合した状態で、前記連結金具の係合片を係合する係合溝を形成してなることが好ましい（請求項３）。
【０００９】
具体的には、前記連結金具は、金属板を側面視倒コ字形に折曲形成したものであり、基板の前端に前記係合片を有するとともに、基板の後端に前記係合片と同様の取付片を上向きに形成したものであり、前記書棚の固定棚板の下面に前記取付片を係合する横長の取付溝を形成するとともに、前記係合片と取付片の間隔に等しい距離だけ該取付溝の後方位置に逃がし溝を形成し、前記取付片を取付溝に係合して連結金具を固定棚板の下面にネジ止めして前記係合片を前方突出状態とする使用態様と、前記取付溝と逃がし溝とに前記係合片と取付片を係合して連結金具を固定棚板の下面にネジ止めした格納態様とを実現するのである（請求項４）。
【発明の効果】
【００１０】
以上にしてなる請求項１に係る発明の学習机と書棚の連結装置は、天板の両側部を脚体で支持した学習机と、前記天板と上面が同じ高さの固定棚板を備えた書棚とを互いに連結する学習机と書棚の連結装置であって、前記書棚の固定棚板の下面前縁部に、先端に上向きの係合片を設けた単又は複数の連結金具を該係合片が前方へ突出した状態で着脱可能に取付けるとともに、前記学習机の天板の少なくとも下面後縁部に、該天板の後端部と前記書棚の固定棚板の前端部とを接合した状態で、前記連結金具の係合片を係合する係合溝を形成したので、学習机の天板後部を持ち上げて、書棚の固定棚板に取付けた連結金具の前方突出部の上に載せることにより、該連結金具の係合片に天板の係合溝を係合させて、天板の後端と固定棚板の前端が接合した状態で連結することができる。通常、学習机には床面に沿って移動させようとする外力のみ作用するので、単に連結金具の係合片に天板の係合溝を落とし込み係合させるだけで、学習机と書棚の連結状態は維持できる。また、学習机と書棚を連結した状態では、学習机の天板と書棚の固定棚板の上面が面一となるので、外観性に優れるとともに、天板を広く使用でき、また書棚の収容効率を低下させることがないのである。
【００１１】
請求項２によれば、拡張天板が格納姿勢の状態では天板の後端より拡張天板が後方へ突出しないので、天板の後端を書棚の固定棚板の前端に接合するとともに、前記連結金具で互いに連結することができ、また拡張天板が水平姿勢の状態では天板と拡張天板が一体となって奥行幅の広い天板を構成し、この場合も拡張天板の後端を書棚の固定棚板の前端に接合するとともに、前記連結金具で互いに連結することができる。
【００１２】
請求項３によれば、学習机の天板側部を持ち上げて、書棚の固定棚板に取付けた連結金具の前方突出部の上に載せることにより、該連結金具の係合片に天板の係合溝を係合させて、天板の側端と固定棚板の前端が接合した状態で連結することができる。
【００１３】
請求項４によれば、学習机と書棚とを連結する際には、連結金具の取付片を取付溝に係合して基板を固定棚板の下面にネジ止めすることにより、前記係合片が前方へ突出した使用態様とすることができ、また学習机と書棚とを独立した使用する際には、連結金具の係合片と取付片を、取付溝と逃がし溝とに係合して基板を固定棚板の下面にネジ止めすることにより、連結金具が固定棚板の下面に隠れた格納態様とすることができる。
【発明を実施するための最良の形態】
【００１４】
次に、添付図面に示した実施形態に基づき、本発明を更に詳細に説明する。図１〜図４は本発明に係る学習机と書棚の連結装置の実施形態を示し、図５及び図６は天板の奥行幅を調整できる学習机を示し、図７〜図１３は本発明の詳細を示し、図中Ａは学習机、Ｂは書棚、１は天板、２は脚体、３は拡張天板、４は固定棚板、５は連結金具をそれぞれ示している。
【００１５】
本実施形態の学習机Ａは、天板１の両側部を脚体２，２で支持し、両脚体２の後端を前記天板１の後端より後方へ突出しないように設定するとともに、該天板１又は前記脚体２に直接又は他の部材を介して間接的に拡張天板３を設け、該拡張天板３が前記天板１の後端に連続して該天板１と上面を面一となした水平姿勢と、前記天板１の後端より後方へ突出しない格納姿勢とをとることが可能であるものである。
【００１６】
また、本実施形態の書棚Ｂは、図１及び図２に示すように、前記天板１と上面が同じ高さの固定棚板４を備えた下書棚Ｂ１と、該下書棚Ｂ１の上に分離可能に載置固定する上書棚Ｂ２とからなっている。
【００１７】
そして、本発明は、前記書棚Ｂの固定棚板４の下面前縁部に、先端に上向きの係合片６を設けた単又は複数の連結金具５を該係合片６が前方へ突出した状態で着脱可能に取付けるとともに、前記学習机Ａの天板１の少なくとも下面後縁部に、該天板１の後端部と前記書棚Ｂの固定棚板４の前端部とを接合した状態で、前記連結金具５の係合片６を係合する係合溝７を形成したのである。
【００１８】
また、前記拡張天板３が水平姿勢において、該拡張天板３の後端部と前記書棚Ｂの固定棚板４の前端部を面一に接合することが可能であるが、この際にも拡張天板３と固定棚板４とを連結できるように、前記拡張天板３の下面後縁部にも前記連結金具５の係合片６を係合する係合溝８を形成している。更に、前記学習机Ａの天板１の下面側縁部に、該天板１の側端部と前記書棚Ｂの固定棚板４の前端部とを接合した状態で、前記連結金具５の係合片６を係合する係合溝９を形成している。
【００１９】
本実施形態では、前記書棚Ｂの固定棚板４の両側部寄りの二箇所に前記連結金具５，５を取付けることができるように構成し、それに応じて前記学習机Ａの天板１及び拡張天板３の後縁部の両側部寄りに係合溝７，７と係合溝８，８を形成している。一方、前記学習机Ａの天板１の両側部にはその横幅の略中央部の一箇所に係合溝９を形成し、学習机Ａの一側部を書棚Ｂの前面の左右一側よりに接合して併設する場合には、一方の連結金具５を用いて連結する。
【００２０】
更に詳しくは、前記学習机Ａは、図１、図３、図５及び図６に示すように、前記拡張天板３を、支持アーム１０，１０を介して両脚体２，２に上下回動可能に設けるとともに、前記脚体２の後部に略垂直な格納姿勢の拡張天板３を収容する凹部１１又は凹段部を設けている。更に、前記拡張天板３の下面両側部に奥行方向と平行に固定した支持アーム１０，１０の基端側突出部１２，１２に、該拡張天板３の上面と平行な長孔１３を形成するとともに、該長孔１３より拡張天板３側に上下に貫通した支持孔１４を形するとともに、拡張天板３の下方位置の支持アーム１０に左右に貫通した支持孔１５を形成し、前記長孔１３に通した支軸１６を前記脚体２の内面側に固定して上下回動可能とするとともに、該拡張天板３が水平姿勢の状態で前記支持孔１４に通した固定ネジ１７を天板１の下面に螺合し、また拡張天板３が格納姿勢の状態で前記支持孔１５に通した固定ネジ１７を脚板２の内面に螺合して姿勢を保持する。
【００２１】
更に、前記拡張天板３の両側部で下面から前方へ突片１８，１８を突設するとともに、前記天板１の両側部で下面後端縁に前記突片１８を嵌入する受け金具１９，１９を取付け、前記拡張天板３を水平姿勢にしたときに、前記突片１８，１８を受け金具１９，１９に嵌入することにより、該拡張天板３の上下方向の撓み変形を防止している。
【００２２】
また、前記学習机Ａの天板１の両側部で下面側縁部に係合溝９，９を形成するには、前記各脚体２の上端中央部に切欠部２０を形成して前記天板１の下面を開放し、その開放した下面に前記係合溝９を形成している。尚、前記切欠部２０，２０を天板１の両側部に形成したことにより、学習机Ａの両側部に指掛け部が形成されるので、天板１の側端と脚体２の外側面との間の段差が少なくても、また段差が全く存在しなくても学習机Ａを簡単に持ち上げることができる。
【００２３】
更に、本発明の実施形態を具体的に説明する。前記連結金具５は、図７、図８及び図１３に示すように、金属板を側面視倒コ字形に折曲形成したものであり、基板２１の前端に前記係合片６を有するとともに、基板２１の後端に前記係合片６と同様の取付片２２を上向きに形成したものであり、前記書棚Ｂの固定棚板４の下面に前記取付片２２を係合する横長の取付溝２３を形成するとともに、前記係合片６と取付片２２の間隔に等しい距離だけ該取付溝２３の後方位置に逃がし溝２４を形成している。そして、前記取付片２２を取付溝２３に係合して基板２１を固定棚板４の下面にネジ止めして前記係合片６を前方突出状態とする連結金具５の使用態様と、前記取付溝２３と逃がし溝２４とに前記係合片６と取付片２２を係合して基板２１を固定棚板４の下面にネジ止めした連結金具５の格納態様とを実現することができる。
【００２４】
図２、図８及び図１０は、前記拡張天板３を格納姿勢とした学習机Ａの後部に書棚Ｂを併設し、天板１の後端部と固定棚板４の前端部を接合するとともに、連結金具５で互いに連結した状態を示している。この連結状態を実現するには、学習机Ａの天板１後部を持ち上げて、書棚Ｂの固定棚板４に取付けた連結金具５の前方突出部の上に載せるだけであり、それにより前記連結金具５の係合片６が天板１の係合溝７に係合して、天板１の後端と固定棚板４の前端が接合した状態となる。
【００２５】
図４、図９及び図１１は、前記拡張天板３を水平姿勢とした学習机Ａの後部に書棚Ｂを併設し、拡張天板３の後端部と固定棚板４の前端部を接合するとともに、連結金具５で互いに連結した状態を示している。この連結状態を実現するには、学習机Ａの天板１後部を持ち上げて、書棚Ｂの固定棚板４に取付けた連結金具５の前方突出部の上に拡張天板３を載せるだけであり、それにより前記連結金具５の係合片６が拡張天板３の係合溝８に係合して、拡張天板３の後端と固定棚板４の前端が接合した状態となる。
【００２６】
また、前記学習机Ａの側部に書棚Ｂを併設して連結するには、先ず学習机Ａの側部を連結する書棚Ｂの左右一側部に前記連結金具５を係合片６が前方へ突出するように取付け、他側部には連結金具５が固定棚板４から突出しないよう取付ける。そして、学習机Ａの天板１側部を持ち上げて、書棚Ｂの固定棚板４に取付けた連結金具５の前方突出部の上に載せるだけで、該連結金具５の係合片６が天板１の係合溝９に係合して、天板１の側端と固定棚板４の前端が接合した状態で連結することできる。ここで、前記拡張天板３を水平姿勢とした場合には、相対的に学習机Ａを書棚Ｂの中央部側に寄せて連結する必要があるが、その場合に連結金具５を書棚Ｂの中央部側に寄せて取付けることができるように、前記取付溝２３を中央部側に延長している。
【００２７】
また、図１０及び図１１に示すように、前記脚体２の下端であって前部に前側接地部材２５を取付けるとともに、後部に前後の取付位置を変更可能に後側接地部材２６を着脱可能に取付けている。そして、前記前側接地部材２５と後側接地部材２６は断面が四角形の略同一の杆体であり、前記後側接地部材２６を前記脚体２に対して前方に取付けた際には前側接地部材２５と連続し、前記前側接地部材２５の前端部下面と前記後側接地部材２６の後端部下面に、それぞれ形成した凹部２７にアジャスター２８を設けて床面の不陸を吸収するようにしている。それにより、前記連結金具５の係合片６が、学習机Ａの天板１の係合溝７，９及び拡張天板３の係合溝８に確実に係合するように高さ調節することができる。
【図面の簡単な説明】
【００２８】
【図１】拡張天板を格納姿勢とした学習机と書棚を連結する前の状態を示す斜視図である。
【図２】同じく学習机の後部に書棚を併設して天板と固定棚板を互いに連結した状態の斜視図である。
【図３】拡張天板を水平姿勢とした学習机と書棚を連結する前の状態を示す斜視図である。
【図４】同じく学習机の後部に書棚を併設して拡張天板と固定棚板を互いに連結した状態の斜視図である。
【図５】拡張天板が格納姿勢の状態の要部縦断面図である。
【図６】拡張天板が水平姿勢の状態の要部縦断面図である。
【図７】拡張天板が格納姿勢の学習机の天板と書棚の固定棚板の連結部を示す拡大断面図である。
【図８】図２の連結状態の平面図である。
【図９】図３の連結状態の平面図である。
【図１０】図２の連結状態の部分縦断面図である。
【図１１】図３の連結状態の部分縦断面図である。
【図１２】学習机の側部に書棚を併設して天板と固定棚板を互いに連結した状態の平面図である。
【図１３】下書棚と連結金具との関係を示す縦断面図である。
【符号の説明】
【００２９】
Ａ  学習机、          Ｂ  書棚、
Ｂ１  下書棚、        Ｂ２  上書棚、
１  天板、            ２  脚体、
３  拡張天板、        ４  固定棚板、
５  連結金具、        ６  係合片、
７  係合溝、          ８  係合溝、
９  係合溝、          １０  支持アーム、
１１  凹部、          １２  基端側突出部、
１３  長孔、          １４  支持孔、
１５  支持孔、        １６  支軸、
１７  固定ネジ、      １８  突片、
１９  受け金具、      ２０  切欠部、
２１  基板、          ２２  取付片、
２３  取付溝、        ２４  逃がし溝、
２５  前側接地部材、  ２６  後側接地部材、
２７  凹部、          ２８  アジャスター。
【図１】
2008301973.tif 000003
【図２】
2008301973.tif 000004
【図３】
2008301973.tif 000005
【図４】
2008301973.tif 000006
【図５】
2008301973.tif 000007
【図６】
2008301973.tif 000008
【図７】
2008301973.tif 000009
【図８】
2008301973.tif 000010
【図９】
2008301973.tif 000011
【図１０】
2008301973.tif 000012
【図１１】
2008301973.tif 000013
【図１２】
2008301973.tif 000014
【図１３】
2008301973.tif 000015